(57)【特許請求の範囲】
【請求項１】
複数本の支柱とこれらを互いに連結する連結部材とにより枠状とされ内部にベッド本体が装備されるようになっている耐震構造体を備えた災害安全装置であって、前記耐震構造体は、床面で支承される以外に床下補強支柱を介して建造物の床下基盤側に対しても支承されていることを特徴とする災害安全装置。
【請求項２】
請求項１記載の発明において、床下補強支柱は、その下端が床下基盤にアンカーで固定されている一方上端は耐震構造体の底部に連結固定されている災害安全装置。
【請求項３】
複数本の垂直なコーナー支柱とこれらを互いに上端および下端において連結する連結部材とにより枠状とされ内部にベッド本体が装備されるようになっている耐震構造体でなる災害安全装置であって、前記耐震構造体の上側および底側の双方には緩衝部材が設けられていることを特徴とする災害安全装置。
【請求項４】
上方に凸状をなす左右一対のアーチとこれら相互間を上部に位置する中央部および下端において連結する部材とによりアーチ状とされた安全枠体の内部に寝具を備えた災害安全装置であって、前記安全枠体の上側および底側の双方には緩衝部材が設けられていることを特徴とする災害安全装置。
【発明の詳細な説明】
【０００１】
【産業上の利用分野】
この発明は、地震（津波を含む）、土砂崩れ、台風、洪水等の種々の災害に有効に機能するようにした災害安全装置に関する。
【０００２】
【従来の技術】
例えば、近年では地震や津波あるいは土砂崩れ等が激烈なものになっているのが現状である。
【０００３】
【発明が解決しようとする課題】
そのための対策として、本出願人は先にカプセル体に関する提案をしたのであるが、コスト的な問題もここに考慮しつつより安全性の高い災害対策を採る必要があることを痛感した。
【０００４】
この発明は前記課題を解決するためになされたもので、その目的とするところは、コスト的にも安価につき、しかも、安全性の高い災害安全装置を提供することにある。
【０００５】
【課題を解決するための手段】
前記課題を解決するため、請求項１記載の発明は、複数本の支柱とこれらを互いに連結する連結部材とにより枠状とされ内部にベッド本体が装備されるようになっている耐震構造体を備えた災害安全装置であって、前記耐震構造体は、床面で支承される以外に床下補強支柱を介して建造物の床下基盤側に対しても支承されていることを特徴とする。
【０００６】
請求項２記載の発明は、請求項１記載の発明において、床下補強支柱は、その下端が床下基盤にアンカーで固定されている一方上端は耐震構造体の底部に連結固定されている。
【０００７】
請求項３記載の発明は、複数本の垂直なコーナー支柱とこれらを互いに上端および下端において連結する連結部材とにより枠状とされ内部にベッド本体が装備されるようになっている耐震構造体でなる災害安全装置であって、前記耐震構造体の上側および底側の双方には緩衝部材が設けられていることを特徴とする。
請求項４記載の発明は、上方に凸状をなす左右一対のアームとこれら相互間を上部に位置する中央部および下端において連結する部材とによりアーチ状とされた安全枠体の内部に寝具を備えた災害安全装置であって、前記安全枠体の上側および底側の双方には緩衝部材が設けられていることを特徴とする。
【０００８】
【実施例】
以下、図示実施例を参照してこの発明を詳細に説明する。
【０００９】
図１は、耐震構造体として形成したものである。
【００１０】
実施例では１段であるが仮想線のように２段でもよい。同耐震構造体は、木製ではなく、強度の充分な金属が使用されている。
【００１１】
すなわち、５７は枠状の耐震構造体で、縦４本の支柱とこれらの底部間および上部間をつなぐ連結部材とでなり、ブレース５８…でさらなる強度アップが図られている。
【００１２】
その中段やや下方には、床板５９が複数に分割して剥ぎ取り自在に配され、６０はそのための把手になる穴である。
【００１３】
そして、床板５９の下方の空間には、開閉扉６１で出し入れ自在な非常収納ボックス６２…が設けられている。
【００１４】
同耐震構造体５７には入口扉６３が設けられて通常出入り可能であり、その内部には、生活必要手段を入れるボックス６４が常時備え付けられている。そして、就寝中に地震等が発生した場合、耐震構造体５７そのもので安全が確保されるとともに、その後も、ボックス６２，６４で非常時に必要な生活が可能である。
【００１５】
勿論、トイレや水、空気等も全てボックス６２，６４から供給可能である。尚、この耐震構造体５７は、突っ張り６５や床下補強支柱６６などにより更に補強され得る。同耐震構造体５７は、屋外に設置可能でもある。耐震構造体５７外部に全体的に張り付けられる防護板５６は、耐火物で強度のある部材を用いる。ボックス６２，６５には、靴を入れておいたり、電気コンセントや非常時にそれを利用可能な機器、クーラーなどを組み込んでおくこともできる。
【００１６】
図２は、建造物内の机７２を耐久構造体とした例を示す。この机７２は、床を通じて補強柱７３で更に強度アップを図るようにしてもよく、また、この机７２内の空間が避難空間になることから、同空間を通じて外部に脱出可能にも構成する。この場合、補助通路のため、ガード７４を付する。
【００１７】
図３は、机９３を一体成形により耐久構造体とし、更に内部埋め込み式に金属板からなる骨組み９４を組み込んだものである。支柱９５で更に強化を図ってもよい。ボックス９６も適宜に配す。また仮想線のように、構造体９７の一部で机９３を構成してもよい。
【００１８】
図４は、建造物内でのタンス９９等の家具が倒れて互いにハの字に構成されるようにしたものである。タンス９９の上端角部には当たり１００が取り付けられているとともに、バネ１０１でタンス９９が一定以上は倒れないように工夫されている。尚、リンク１０２で角度規制してもよい。
【００１９】
図５に示す実施例は、耐震構造体１３０の本体をアングル（金属）材などにより耐震構造としてその内部に非常用具ボックス１３１を備え付けたものにおいて、同耐震構造体１３０の上面に更に強度上板１３２を載せ付けるとともに、本体の底部にも強度下板１３３をブラケット１３４にて結合して強度アップを図ったものである。強度上板１３２および強度下板１３３は、木質あるいは金属質更にプラスチックなど材料は自由に選択する。尚、底部には可動用のローラー１３５が取り付けられている。
【００２０】
図６に示す実施例は、図５のような耐震構造体１３０を床盤１３７にアンカー固定された４本の床下補強支柱１３８にも結合して更に耐震構造としたものである。１３９は床板で、耐震構造体１３０はこの床板１３９上に支承される以外に床下補強支柱注１３８を介して床盤１３７上にも支承されている。補強支柱１３８の上端は耐震構造体１３０側に連結固定されている。
【００２１】
図７に示す実施例は、耐震型食卓机１４１や事務机などの脚部１４２回りに回転操作可能なように椅子１４３を配したもので、この平面図は、図１０にも示されているように、４点（あるいはその他の数点）配置になっている。椅子１４３は、ステー１４４を介して食卓机１４１に連結されているので、それが机の下方あるいは外部のいずれにあっても地震発生時に耐震構造の一部として有効に機能する。１４５はストッパである。
【００２２】
図８に示す実施例は、飾り棚１４７全体をゴム等の緩衝体１４８で耐震支持させるとともに、同棚１４７自体を支持棒１４９回りに緩衝筒１５０を介装して耐震構造にしたものである。
【００２３】
図９に示す実施例は、勉強等の耐震構造の机１５２を緩衝体１５３で下支持し、それに椅子１５４を対応させたものにおいて、机１５２を耐震枠１５５で大きく覆い、さらに椅子１５４の背柱１５６を枠１５５の上部と結合して耐震構造としたものである。尚、仮想線で示すように机１５２は耐震枠１５３と一体化してもよい。
【００２４】
図１１に示す実施例は、カバー３２６付きの枕本体３２７を例えば、クッション材とし、その一部を切開溝３２８として形成して、地震などの非常時には同溝３２８を仮想線のように大きく開いて頭に被ることにより家屋等からの落下に備えるようにしたものである。
【００２５】
図１２に示す実施例は、枕本体３２９を左右２つの部分から構成してクイックファスナで相互に着脱自在に連設するとともに、破線のように脚入れ孔３３０をそれぞれに形成したもので、非常時には、左右を分けて孔３３０に脚を挿入することでガラスなどで怪我をせずに避難等ができるようにしたものである。
【００２６】
図１３および図１４に示す実施例は、就寝中等に使用される枕３４０がそのまま地震発生後に避難用具として使えるようにしたものである。この枕３４０は、図１３に示すように、内部に避難用具が収納されていて、ファスナー３４１を開けば簡単に取り出せるようにされているとともに、その外層部は通常の枕として使えるように柔軟になっている。そして、外袋３４２で包まれている。枕３４０は２つ折り型とされて、面ファスナー３４３でその状態を保持できるようになっている。面ファスナー３４３を外せば、矢印のように展開でき、紐３４４が同時に出るので、図１４に示すように背負って避難することができるのである。そして展開した状態では、ファスナー３４１を開ければ内部から避難用具を取り出せるのである。
【００２７】
図１５に示す実施例は、同じく枕３４６についての案で、同枕３４６は、横に少し長目に作られ、その一側が枕部３４７とされる一方、他側がファスナー３４８の開閉で避難用具を取り出せるものになっている。同他側も少し柔軟な外層になっている。そして、避難用紐３４９は、金具３５０に直接取り付けておいてもよいが、枕部３４７の一側のファスナー３４８を開けることで取り出せ、通常はここに仕舞っておくことができる。
【００２８】
図１６に示す実施例は、市販で一般家庭等で既に使用されている洋風ベッド（本体）３８１を地震対策のために包囲して防護した例である。同ベッド３８１を防護する耐震構造体は、４本の補強用のコーナー支柱３８２…と、これらの支柱３８２…を下端において連結する底枠部材（連結部材）３８３…と、支柱３８２…を上端において連結する天枠部材（連結部材）３８４…とで耐震構造体を構成する。これらは金属製でジョイント３８５…で相互に強固に連結されるとともに、ブレース３８６…で更なる補強がなされる。底部には、緩衝部材３８７が敷設されるとともに、天枠部材３８４…には、受板３８８…を介して肉厚の大きな緩衝部材３８９が効果的な緩衝をするように備え付けられている。尚、支柱３８２とベッド３８１とは連結片３９０で連結され、底枠部材３８３…も耐震構造体３８１の底と連結するようにしてもよい。尚、仮想線で示すように、補強体の天底面には、緩衝内張材３９１を装備しておけば、より安全である。この内張材３９１に代えてあるいは同内張材３９１とともにエアーバッグを装備してもよい。このことは、図２７から図３５でも可能である。
【００２９】
図１７および図１８は、一般家庭で既に使用されている２段ベッドあるいはこれから販売される２段ベッドを対象にしてそれに補強を追加補充し、地震時に有効に機能するようにした実施例を示している。同ベッドは、１段あるいは３段以上であってもよい。既存のベッドは、木質で四角な断面の支柱３９２…を四隅に配し、これらの支柱３９２…間を底枠材３９３…と中段枠材３９４…で連結するとともに各枠材３９３…、３９４…内に底敷材３９５を配して構成されている。尚、上段連結材３９６も渡してある。このベッドは、ベッド幅方向に直交する方向が長手方向とされた矩形状でその四辺に枠材を備えたベッド枠体上にベッド本体を設置するようにしたものである。
【００３０】
ベッド補強構造体はこの既存のベッドのまわりを取り囲むようにして設置されている。すなわち、同構造体は、基本的に金属質で製作され、アングル型をして前記支柱３９２の二面に添うようにして前記ベッド枠体の四隅に対応して立ち上がる４本の支柱３９８…と、これらの支柱３９８…の下端を連結する一対の第１底枠材３９９…と、同じく支柱３９８…の下端を連結する一対の第２底枠材４００…とを備えるとともに、支柱３９８…の中段間を連結する中段枠材４０１…と、上段連結材４０２…とを備える。これらは、予め組み立てられるのでなく現場でジョイント板４０３…と装飾ボルト４０４…を使って連結される。現場組立のため、支柱３９８…は、図１８に仮想線で示すように連結ボルト・ナット４０５…で既存ベッド側に止め付けられ、これが既存ベッドと補強構造体との一体化を可能にする。
【００３１】
支柱３９８…の各下端には、図１８に示すように、支柱３９８の一側面とそれに隣合う他側面とに合致する略Ｌ字形をした座板４０６…が溶接等により固着されており、同座板４０６…の底側には、緩衝部材４０７…が介装されるとともに、座板４０６…同士は前記第２底枠材４００…でボルト連結されている。また、各支柱３８９…の上端には上座板４０８…が取り付けられ、それに緩衝部材４０７…を介してその上に天枠４０９の取付板４１０…が乗りかかってボルト止めされている。天枠４０９は、前記支柱３８９…のうち前記長手方向に対応するものの上端間を結ぶとともに左右一対からなる耐力のあるアーチ形にしており、そのアーチは上方に凸状をなしている。複数本のアーチ間連結材４１２…を含む天枠４０９，４０９上には、安全のための覆いである厚みのある主緩衝部材４１１が載せられて適宜装着される。尚、アーチ間連結材４１２…は、天枠４０９，４０９の左右（ベッド幅方向）間を結合するもので、ベッド長手方向に複数本間隔を置いて配列されている。また、補強体の天底面には、緩衝内張材３８１（図１６参照）を装着しておけば、より安全である。この内張材３９１に代えてあるいは同内張材３９１とともにエアーバッグを装備してもよい。
【００３２】
図１９は、支柱３９２にアングル型の補強用支柱４１３を当て付けるようにして補足する場合の他の例を示している。支柱４１３には、二辺に孔４１４…が開けられており、この孔４１４…を通じてボルト４１５…が挿通されている。このボルト４１５…の先端には、支柱３９２の内側に当て付けられる保持片４１６にねじ込まれ、このねじ込みにより支柱３９２の回りに支柱４１３と保持片４１６が締め付け固定される。尚この構造は、支柱３９２の上下に複数段構成されている。この構造にすることにより、支柱３９２の断面寸法が大小様々であっても対応できる。そのため、前記孔４１４は長孔（あるいはばか孔）になっている。
【００３３】
図２０も支柱３９２にアングル型の補強用支柱４１８を締着する例を示している。４１９は長孔形（あるいはばか孔形）をした支柱４１８の孔、４２０はボルト、４２１は支柱３９２に沿って上下方向に配されるＬ形のアングル、４２２はこのアングル４２１の上下方向に沿って溶接されて上下の組で支柱３９２の角を捉えるように配したナットである。
この構造によっても支柱３９２の寸法が異なっても共通のもので対応することができる。
【００３４】
図２１および図２２は、ベッドの側面に付加される側枠についての変形例を示している。図２１の側枠は、上・下部材４２４，４２５と、これらの間を斜めに継ぐ斜材４２６と、連結板４２７と、リブ４２８とでなる。上・下部材４２４，４２５と斜材４２６とはボルト４２９で現場組立可能に連結するようにしてもよい。４３０は緩衝部材である。尚、仮想線のように、Ｘ形にする斜材４２６を追加してもよい。
【００３５】
図２２は、上・下部材４３１，４３２と、その間を垂直に継ぐ縦部材４３３と、連結板４３４とでＨ形に形成された側枠を示している。連結板４３４にはボルトを備えてもよい。尚、図２１および図２２の側枠は、１つのベッドに対して図示したもの１つあるいは一対配してもよい。一対の場合は相互間を天間等で連結するようにしてもよい。該天間等の連結部材は、１本あるいは２本など自由である一方、上からみてＺ形やＸ形、Ｈ形になるように配してもよい。
【００３６】
図２３は、内部に備えた和風寝具４３６により就寝する場合の安全枠体についての実施例を示す。同枠体は、左右一対の上方に凸状をなすアーチ４３７…と、これらの上部に位置する中央部および下端間を継ぐ横架材（連結部材）４３８とを備える。これらは現場組立可能にボルトで着脱自在にしてもよい。尚、枠体の上端と下端には緩衝部材４３９を設けてあるが、更に、アーチ４３７の外周に沿って緩衝部材を付してもよい。また、緩衝部材４３９は枠体の上面全体を覆うものとしてもよい。さらに、アーチ４３７は、側方からみて山形にしてもよい。尚、補強体の天底面には、緩衝内張材３９０を装備しておけば、より安全である。この内張材３９０に代えてあるいは同内張材３９０とともにエアーパッグを装備してもよい。
【００３７】
図２４は、同じく和風寝具で就寝する場合の安全枠体の他の例を示す。すなわち、正面からみて山形になるように左右一対のアーチ４４０を斜め配置して底板４４１で支持し、底部および上端に緩衝部材４４２を配したものである。より強く抵抗する。
【００３８】
尚、アーチは上からみて敷き布団を斜めに横断する１本のものであってもよく、また、上からみてＸ字に配してもよい。
【００３９】
図２５は、寝たきりの人や入院中の人を護るために考えらえれた実施例である。簡易ベッドは、手すりパイプ４４４を備え、これに対し、ガード４４５は、パイプ４４４に締着される前後１対の曲げパイプ４４５と、２分割型の取付筒４４６…と、曲げパイプ４４５間を連結する連結パイプ４４７と、斜材４４８とでなる。天部には緩衝部材を覆ってもよい。尚、この場合も、図２３あるいは図２４で示すアーチ型の補強枠を使用できる。尚、補強体の天底面には、緩衝内張材３９０を装備しておけば、より安全である。この内張材３９０に代えてあるいは同内張材３９０とともにエアーバッグを装備してもよい。
【００４０】
図２６も簡易ベッドの補強構造を示す。同構造は、手すりパイプ４５０の中間にあるように垂直に配された補強ステー４５１と、手すりパイプ４５０の上側に配置された補助パイプ４５２とを備え、ステー４５１、手すりパイプ４５０および補助パイプ４５２の三者、並びに手すりパイプ４５０と補助パイプ４５２相互が合わせ型の連結パイプ４５３…で締め付けられているとともに、手すりパイプ４５０と補助パイプ４５２とは側部においても連結ロッド４５４で結合されている。尚４５５は天枠である。
【００４１】
図２７、図２８および図２９は、食卓などの既存あるいはこれから販売される４本脚タイプのテーブル４５７を補強の対象にした実施例を示している。これらの図において、中心線を境に左側は、天板４５８に垂直に脚４５９が取り付けられたタイプを示し、右側は、脚４５９がやや斜めに取り付けられたものを示している。
【００４２】
４６０は補強脚で、円筒の金属パイプでなり、脚４５９の外周に嵌め合わされている。前後の補強脚４６０の下端間は、底座４６１で連結され、その底側には緩衝部材４６２が設けられている。また、前後の補強脚４６０間は、他の縦板４６３で連結一体化されている。尚、脚４５９が垂直な場合は、縦板４６３付の補強脚４６０を脚４５９に一体のまま挿通できるが、脚４５９が斜めの場合には、補強脚４６０を２分割式で合わせ型とするか、あるいは縦板４６３をボルト等で現場で補強脚４６０に合体させるものとする。
【００４３】
補強脚４６０の上端には天座４６４が取り付けられ、同天座４６４と天板４５８間には、緩衝部材４６２が介装されている。尚、補強脚４６０は、各種径サイズのものがあることから、充分大きな内径をもつもので共通に対応できるようにすることもある。同補強脚４６０は角筒でもよい。縦板４６３の内側にはブラケット４６５を介して偏平筒状の受板４６６が天板４５８の底面に添うように取り付けられている。尚、天板４５８と受板４６６との間にも緩衝部材を入れて緩衝機能の他、寸法調整用のスペーサとしても機能するようにできる。前記補強脚４６０は、Ｌ型アングルあるいは溝型チャンネル材を使用できる。テーブル内には非常避難用具のボックスを設置できる。この場合、縦板４６３を背板として利用できる。
【００４４】
図３０および図３１は、テーブル４６８内の空間に少し小さ目の補強体４６９を設置して補強機能を発揮するようにした実施例を示す。同補強体４６９は、偏平な四角筒状の補強脚４７０の１対と、各脚４７０の下端に固着した座４７１と、その底の緩衝部材４７２と、補強脚４７０間に渡された受板４７３とを備え、緩衝部材４７４と補助緩衝部材４７５を介して天板４７６に当たっている。下側の緩衝部材４７２および上側の緩衝部材４７４あるいは補助緩衝部材４７５はテーブル４６８と補強体４６９との寸法差を吸収する。尚、４７７は避難用具ボックスである。
【００４５】
図３２は、脚４７９に離れて補強脚４８０を配したもので、その下端をアジャスタ４８１で昇降調節可能にしたものである。
【００４６】
図３３は、テーブル４８３の内空間に四角ブロック状の緩衝部材４８４を入れ込み、上側の薄い補助緩衝部材４８５で寸法吸収可能にするとともに、同緩衝部材４８４内を長円形などに抉って避難空間たる補強体４８６を挿入したものである。４８７は避難用具ボックスである。
【００４７】
尚、仮想線で示すように補強体をテーブル４８３よりはみ出すようにしてもよい。この部分は、避難用具入れとしたり、通常生活用の用具入れなどとして利用できる他、災害防護機能が大きくなる。
【００４８】
図３４は、天板４８８の脚４８９を補強脚４９０と連結板４９１でつないだものにおいて、同連結板４９１を分割して寸法調整自在にボルト止めしたものである。
【００４９】
図３５は、脚４９３が中央に１枚設けられたテーブルを対象にして、同脚４９３の前後にあるように補強脚４９４とこれを継ぐ連結部材４９５を設けたもので、補強脚４９４の下端の座４９６は緩衝部材４９７で受られる一方、上端にはアングル等の長い受部材４９８が設けられ、この受部材４９８は、テーブルの長さ方向に延びて向こう側の補強脚４９４に連結されている。
【００５０】
図３６は、タンスなどの家具５００の転倒防止装置を示している。畳５０１を利用して同畳５０１の家具５００の後方隅にあるようにＬ形ブラケット５０２を装着して家具５００の重さでブラケット５０２が効果的に固定されるようにしてある。尚、同ブラケット５０２は床板に釘止めやねじ止めしてもよい。一方、家具５００の前コーナーには止め金具５０３をセットし、同金具５０３とブラケット５０２間にターンバックル５０４を備えて長さ調節可能な引きロッド５０５を通してある。只、ロッド５０５の上端には、バネ５０６が設けられているが、ナットで固定化してもよい。
【００５１】
図３７および図３８に示す実施例は、椅子５０７に座って事務机や勉強机等の机５０８で事務処理等をする者を地震から護るための防護装置５０９についてのものである。同防護装置５０９は、相対向して座る人を防護するように構成され、その他の防護の態様については後述する。
【００５２】
防護装置５０９は、略半円形に曲げられた金属パイプ製のメインフレーム５１０を共通部材として４本備え、同フレーム５１０は、側方からみてＸ字形に反り返るように配されるとともに、その間が連結部材５１１で継がれ、また、座る人の上方を通るように横架部材５１２で継がれている。尚、仮想線のように、前後のメインフレーム５１０間を上部連結部材５１３で継いでもよい。尚、連結部材５１１は、回転自在なヒンジ結合にしてもよい。
【００５３】
メインフレーム５１０の各下端には補強部材５１５を介してＬ字あるいはコの字形のブラケット５１６が取り付けられ、同ブラケット５１６は、緩衝材５１７を介してアンカー５１８により床５１９に固定されている。左右に対向する連結部材５１１間には、棚５２０が形成される一方、メインフレーム５１０の各上端には、分割線５２１により着脱自在とされた緩衝材５２２とキャップ５２３が装着されている。
【００５４】
尚、事務机は一般に左右方向に複数個配列されるので、図３７、図３８のように各個ずつに防護装置５０９を構成せず、複数個ある机の左右両側端にのみメインフレーム５１０を構成してそれらの間を横架部材５１２で継ぐように構成してもよく、例えば、４個ある机のうち２個ずつに対して図３７、図３８の防護装置を構成してもよい。さらに、連結部材５１１、上部連結部材５１３、横架部材５１２等はそのうち１つ以上を選択的に着脱自在な連結にしてもよい。横架部材５１２にも緩衝材を付してもよい。また、図３８に仮想線で示すように、机５０８や床５１９あるいは椅子５０７から上方に延びるフレーム受５２４を設けてもよい。さらに、メインフレームは、側面形状がＶ形になるように形成してもよい。
【００５５】
また、図３９に示す実施例のように、単一本のメインフレーム５１０で防護装置を構成してもよい。この場合、下部を仮想線のようにＬ字形に曲げてもよく、また、連結部材５２６を備えて対向する側に着脱自在にしてもよい。さらに、仮想線のように、椅子５０７の側方を立ち上がるようなメインフレーム５２７にしてもよい。また、フレーム５１０は、円形に曲げて後方の者をも防護するように構成することもできる。
【００５６】
図４０および図４１は、喫茶店内のテーブル５３０に付属の椅子５３１に座る者の防護装置５３２についての実施例を示す。同装置５３２は、メインフレーム５３３、連結部材５３４，５３４、上部連結部材５３５、横架部材５３６、ブラケット５３７、緩衝材５３８を備え、アンカー５３９で固定された一体型のものである。横架部材５３６にも緩衝材５４０が取り付けられ、左右のフレーム５３３間には、横連結板５４１が設けられてその上にテーブル５３０が設置されている。横連結板５４１は無しにしてテーブル５３０をフレーム５３３に連結してもよい。尚、連結部材５３４は筐体になっていてその中にプランター５４２をセットして花を鑑賞できるようにしてある。テーブルは会議用の机や食堂机等でもよい。フレーム５３３相互は、左右に対してあるいは前後に対して着脱自在にしてもよい。テーブル５３０は、既存の脚付きのものとし、それを囲むような防護装置を構成してもよい。前記防護装置も複数個のテーブルに対してその全体あるいは複数一部個数を一括的に囲むものにしてもよい。一方、図３７および図３８の実施例でも同様であるが、図示のような個別的に囲む装置である場合には、左右等隣合うもの相互を連結するようにすれば、相互補強作用により強度アップが図れる。
【００５７】
図４２および図４３は、前記喫茶店のテーブル５４５や会議用テーブル等に関してその椅子（図示省略）に座る者を防護するための装置を示す実施例である。この実施例では、テーブル５４５が強度メンバーの１つとされるとともに、同テーブル５４５に４本で拡がり状の金属パイプ製脚５４６が取り付けられる一方、テーブル５４５上の中央には、着座者の上方にくるように上方拡がり状の１対の防護パイプ５４７が突設されている。このパイプ５４７は、Ｔ字形をなすようにしてもよい。
【００５８】
図４４は、下端一部が欠けた円形状をしたフレーム５５０と、その中間高さ間を継ぐ連結部材５５１とでなるものを左右１対備え、これらの間をテーブル５５２で連結した実施例を示す。テーブル５５２は着脱自在に連結してもよい。
尚、フレームは逆三角形にしてもよい。
【００５９】
図４５および図４６は、事務机や勉強机等の机５５４を床５５５に強固に固定して地震に備える実施例を示す。机５５４には、脚置き５５６が連結部材として設けられているが、同脚置き５５６の左右２か所あるいは１か所と床５５５との間に固定具を構成してある。この固定具は、緩衝材５５７を介して脚置き５５６に上から抱き込むフック５５８を上端に備えたＬ字形の固定板５５９で構成され、同固定板５５９の底に緩衝材５６０を介してアンカー５６１で床５５５上に固定するようにしてある。尚、固定板５５９には、ボルトナット５６２を備え脚置き５５６の下を通るようにして固定をなすこともできる。また、仮想線のように前後に座をもつリップ付きコの字枠体でなる固定板５５９を採用してもよい。
【００６０】
【発明の効果】
この発明は以上のような災害安全装置であるので、コスト的にも安価につき、しかも、安全性の高い災害安全装置を提供することができる。
【図面の簡単な説明】
【図１】この発明の一実施例を示す耐久ベッドの斜視図。
【図２】他の実施例を示す側面模式図。
【図３】他の実施例を示す正面図。
【図４】他の実施例を示す模式図。
【図５】他の実施例を示す耐震机の正面図。
【図６】他の実施例を示す床下補強付き耐震机の縦断面図。
【図７】他の実施例を示す回転椅子付き食卓の正面図。
【図８】他の実施例を示す免震型飾り棚の側面図。
【図９】他の実施例を示す机と椅子を耐震構造にセットした正面図。
【図１０】他の実施例を示す図４４の平面図。
【図１１】枕を安全用具として構成した例を示す斜視図。
【図１２】枕を安全用具として構成した他の例を示す斜視図。
【図１３】枕が避難用品を兼ねる例を示す斜視図。
【図１４】同枕を避難時に背負った様子を示す側面図。
【図１５】枕を避難用品とした他の例を示す斜視図。
【図１６】洋風ベッドについての地震対策例を示す斜視図。
【図１７】２段ベッドについての地震対策例を示す斜視図。
【図１８】同要部横断面図。
【図１９】補強支柱の装着例を示す断面図。
【図２０】補強支柱の他の装着例を示す断面図。
【図２１】ベッド補強用の側枠例を示す正面図。
【図２２】ベッド補強用の側枠例を示す正面図。
【図２３】和風寝具での就寝用地震対策例を示す斜視図。
【図２４】和風寝具での就寝用地震対策例を示す斜視図。
【図２５】簡易ベッドの補強例を示す斜視図。
【図２６】簡易ベッドの補強例を示す斜視図。
【図２７】テーブルについての補強例を示す正面図。
【図２８】図２７のＺ−Ｚ線断面図。
【図２９】図２７の側面図。
【図３０】テーブルについての他の対策例を示す正面図。
【図３１】図３０のテーブルの平面図。
【図３２】アジャスタ付補強脚の例を示す断面図。
【図３３】テーブルについての他の対策例を示す正面図。
【図３４】テーブル補強体の脚間調節手段を示す断面図。
【図３５】１本脚式テーブルについての対策例を示す側面図。
【図３６】家具転倒防止策を示す側面図。
【図３７】机と椅子を備えてその利用者を地震から防護する装置の一例を示す平面図。
【図３８】図３７の側面図。
【図３９】他の防護装置を示す側面図。
【図４０】喫茶店内に対する防護装置を示す平面図。
【図４１】図４０の側面図。
【図４２】他の防護装置を示す平面図。
【図４３】図４２の側面図。
【図４４】他の防護装置例を示す側面図。
【図４５】机の固定方式の一例を示す正面図。
【図４６】同例の拡大断面図。
【符号の説明】
７２，９３，１４１，１５２…机、椅子…１５４、６６，１３８…床下補強支柱、１３７…床下基盤、３４０，３４６…枕、３４４…紐、３８９，４１１，４７４，４７５…緩衝部材、４５７，４６８，４８３…テーブル。
【図１】
0003760249.tif 000002
【図２】
0003760249.tif 000003
【図３】
0003760249.tif 000004
【図４】
0003760249.tif 000005
【図５】
0003760249.tif 000006
【図６】
0003760249.tif 000007
【図７】
0003760249.tif 000008
【図８】
0003760249.tif 000009
【図９】
0003760249.tif 000010
【図１０】
0003760249.tif 000011
【図１１】
0003760249.tif 000012
【図１２】
0003760249.tif 000013
【図１３】
0003760249.tif 000014
【図１４】
0003760249.tif 000015
【図１５】
0003760249.tif 000016
【図１６】
0003760249.tif 000017
【図１７】
0003760249.tif 000018
【図１８】
0003760249.tif 000019
【図１９】
0003760249.tif 000020
【図２０】
0003760249.tif 000021
【図２１】
0003760249.tif 000022
【図２２】
0003760249.tif 000023
【図２３】
0003760249.tif 000024
【図２４】
0003760249.tif 000025
【図２５】
0003760249.tif 000026
【図２６】
0003760249.tif 000027
【図２７】
0003760249.tif 000028
【図２８】
0003760249.tif 000029
【図２９】
0003760249.tif 000030
【図３０】
0003760249.tif 000031
【図３１】
0003760249.tif 000032
【図３２】
0003760249.tif 000033
【図３３】
0003760249.tif 000034
【図３４】
0003760249.tif 000035
【図３５】
0003760249.tif 000036
【図３６】
0003760249.tif 000037
【図３７】
0003760249.tif 000038
【図３８】
0003760249.tif 000039
【図３９】
0003760249.tif 000040
【図４０】
0003760249.tif 000041
【図４１】
0003760249.tif 000042
【図４２】
0003760249.tif 000043
【図４３】
0003760249.tif 000044
【図４４】
0003760249.tif 000045
【図４５】
0003760249.tif 000046
【図４６】
0003760249.tif 000047